(57)【特許請求の範囲】
【請求項１】
硬質のカード又は板紙からなる外側容器（２）と、たばこ（５）の束（４）を収容する内側包装（３）とを具備する喫煙具のためのパケットであって、前記内側包装（３）は前記外側容器（２）内に収容されており、前記外側容器（２）は、略平行六面体形状で後壁（１２）と前壁（１１）と側壁（１３）と底壁（１０）と開放上端部（６）とを有し、前記外側容器（２）は、前記開放上端部（６）の開放位置と閉止位置との間で回転し得る蓋（７）であって後壁（２１）と前壁（２２）と側壁（２７）と頂壁（９）とによって形成される蓋（７）に対してヒンジ連結され、前記蓋（７）の前記前壁（２２）の１つの底縁は、前記底縁周りで１８０°曲げられ且つ前記蓋（７）の前記前壁（２２）の内側表面に対して当接して配置された補強壁（２３）と一体であり、前記補強壁（２３）は、折り曲げ破線（２０）に沿って対になって互いに一体であり且つ前記蓋（７）の前記頂壁（９）において少なくとも前記蓋（７）の前記内側表面に対して当接して配置されるように前記折り曲げ破線（２０）周りに互いに対して傾けられ得る少なくとも２つのパネル（２３’、２４’）を具備する、パケットにおいて、
更に前記補強壁（２３）は、前記外側容器（２）の前記後壁（１２）において前記外側容器（２）の内側表面に対して当接して配置された少なくとも１つのパネル（２５’、２６’）を具備し、前記少なくとも１つのパネル（２５’、２６’）は、前記内側包装（３）と前記外側容器（２）の前記内側表面との間に配置されていることを特徴とするパケット。
【請求項２】
前記外側容器（２）の前記側壁（１３）の上部縁が折り曲げ破線（２０）に沿って舌部（２６）と一体であるパケットにおいて、前記舌部（２６）が、前記蓋（７）の前記頂壁（９）と、前記補強壁（２３）の部分を形成する前記パネル（２３’、２４’、２５’、２６’）の１つと、の間に挟み込まれるように、それぞれの前記折り曲げ破線（２０）周りで折り曲げられることを特徴とする請求項１に記載のパケット。
【請求項３】
前記外側容器（２）が、内側フレーム（１４）であって、前記開放上端部（６）から部分的に突出して前記蓋（７）が前記閉止位置にあるときに前記蓋（７）の対応する内側表面に係合するように、Ｕ字形状に折り曲げられ且つ前記外側容器（２）の内側に連結された内側フレーム（１４）を有することを特徴とする請求項１又は２に記載のパケット。
【請求項４】
前記外側容器（２）が、ブランク（１８）であって、２つの長手方向の破線（１９）及び該長手方向の破線（１９）の間に形成される複数の横方向の破線（２０）と、
前記外側容器（２）の前記前壁（１１）を形成する第１のパネル（１１’）と、
前記外側容器（２）の前記底壁（１０）を形成する第２のパネル（１０’）と、
前記外側容器（２）の前記後壁（１２）を形成する第３のパネル（１２’）と、
前記蓋（７）の前記後壁（２１）を形成する第４のパネル（２１’）と、
前記蓋（７）の前記頂壁（９）を形成する第５のパネル（９’）と、
前記蓋（７）の前記前壁（２２）を形成する第６のパネル（２２’）と、
前記蓋（７）の前記前壁（２２）のための第１の補強パネル（２３’）と、前記蓋（７）の前記頂壁（９）のための第２の補強パネル（２４’）と、を有するブランク（１８）から作られ、前記第１の補強パネル（２３’）及び前記第２の補強パネル（２４’）が、前記補強壁（２３）の部分を形成する、請求項１から３のいずれか一項に記載のパケット。
【請求項５】
前記外側容器（２）の前記後壁（１２）の上部のための別の補強パネル（２５’、２６’）を更に具備し、前記第２の補強パネル（２４’）が少なくとも１つの前記別の補強パネル（２５’、２６’）の縁部と一体であることを特徴とする請求項１から４のいずれか一項に記載のパケット。
【請求項６】
前記第１のパネル（１１’）は、前記外側容器（２）の前記側壁（１３）の外部を形成し、前記第１のパネル（１１’）の対向する側部に配置され、且つ、前記長手方向の破線（１９）によって前記第１のパネル（１１’）自体から分離された、一対の第１のフラップ（１３’）を有し、前記第３のパネル（１２’）は、前記外側容器（２）の前記側壁（１３）の内部を形成し、前記第３のパネル（１２’）の対向する側部に配置され、且つ、前記長手方向の破線（１９）によって前記第３のパネル（１２’）自体から分離された、一対の第２のフラップ（１３’’）を有し、前記第４のパネル（２１’）は、前記蓋（７）の前記側壁（１３）の内部を形成し、前記第４のパネル（２１’）の対向する側部に配置され、且つ、前記長手方向の破線（１９）によって前記第４のパネル（２１’）自体から分離された、一対の第３のフラップ（２５’’）を有し、前記第６のパネル（２２’）は、前記蓋（７）の前記側壁（１３）の外部を形成し、前記第６のパネル（２２’）の対向する側部に配置され、前記長手方向の破線（１９）によって前記第６のパネル（２２’）自体から分離された、一対の第４のフラップ（２７’）を有する、請求項１から５のいずれか一項に記載のパケット。
【請求項７】
第２のフラップ（１３’’）のそれぞれが、横方向の破線（２０）に沿って前記外側容器（２）の前記底壁（１０’）のための第２の内側補強舌部（２４）に対して連結され、第３のフラップ（２５’’）のそれぞれが、横方向の破線（２０）に沿って前記蓋（７）の前記頂壁（９’）のための第３の内側補強舌部（２６）に対して連結された、請求項１から６のいずれか一項に記載のたばこのパケット。
【請求項８】
請求項１から７のいずれか一項に記載の喫煙具のためのパケットの製造方法であって、前記パケット（１）は、略平行六面体形状であり且つ後壁（１２）と前壁（１１）と２つの側壁（１３）と底壁（１０）と開放上端部（６）とを有する外側容器（２）を具備し、前記外側容器（２）は、前記開放上端部（６）の開放位置と閉止位置との間で回転し得る蓋（７）であって後壁（２１）と前壁（２２）と側壁（２７）と頂壁（９）とによって画成される蓋（７）に対してヒンジ連結され、前記蓋（７）の前記前壁（２２）の１つの底縁は、該底縁周りに１８０°折り曲げられ且つ前記蓋（７）の前記前壁（２２）の前記内側表面に対して当接して配置された補強壁（２３）と一体である、製造方法において、前記補強壁（２３）は、折り曲げ破線（２０）に沿って互いに対になって一体であり且つ前記折り曲げ破線（２０）周りに互いに対して傾けられて前記蓋（７）の前記頂壁（９）において少なくとも前記蓋（７）の前記内側表面に対して当接して配置され得る少なくとも２つのパネル（２３’、２４’）を具備し、前記外側容器（２）の前記側壁（１３）の上部縁は、折り曲げ破線（２０）に沿ってそれぞれの舌部（２６）と一体であり、当該製造方法は、前記蓋（７）の前記頂壁（９）と前記補強壁（２３）の部分を形成する前記パネル（２３’、２４’）の一方との間に挟み込まれるように、それぞれの前記折り曲げ破線（２０）周りに前記舌部（２６）を折り曲げる工程を含むことを特徴とする製造方法。
【発明の詳細な説明】
【技術分野】
【０００１】
本発明は、喫煙具のためのパケット及びそのパケットの製造方法に関する。
【背景技術】
【０００２】
以下、本明細書において、たばこで構成される喫煙具について説明するが、これによって本発明の範囲を制限しようとするものではない。
【０００３】
たばこ用の硬質のヒンジ連結された蓋のパケットは、製造容易で、容易且つ実用的に使用でき、収容されるたばこのために良好な機械的保護を提供することから、現在市場で最も広く知られた形式のたばこ用のパケットである。
【０００４】
たばこ用の硬質の、ヒンジ連結された蓋のパケットは、概して金属化紙から成り、たばこの束の周りに配置される内側包装と、内側包装を受容する硬質の外側容器と、を具備する。外側容器は、上向き凹部を備え且つ内側包装内に配置されたたばこの束を受容する容器本体と、下向き凹部を備え且つ開放位置と閉止位置との間で容器本体に対して回転可能にヒンジに沿って容器本体と連結された蓋と、を具備する。概して、フレームであってＵ字形状に折り曲げられて、容器本体の内側に対して容器本体の上端部から部分的に突出し且つ蓋が閉止位置にあるときに対応する蓋の内部表面に係合するように連結されたフレームが存在する。
【０００５】
概して、パケットの外側表面は、たばこのブランド名、たばこの詳細、義務である健康上の警告、消費者に関する他の情報、及び、喫煙者向けの広告を示すために印刷されている。ある場合において、たばこのパケットの製造は、パケットの外側のサイズが比較的限定されており且つ義務である健康上の警告が大幅にサイズを占めていることからパケットの外側表面上に全てを読みやすく印刷するのが困難な非常に多くの情報を、顧客に対して提供することを要求される。
【０００６】
したがって、概して蛇腹式に（in concertina fashion）折り曲げられてパケット内に挿入され又は１又は複数の接着点によってパケットの外側に固定されたクーポンを備えたたばこのパケットがよく実用化されている。
【発明の概要】
【発明が解決しようとする課題】
【０００７】
上述した形式のクーポンを備えた硬質のたばこのパケットは、包装機がクーポン材を供給するための更なるステーションを有しなければならないため、製造に費用がかかる。更に、パケットから取り出されたクーポンは、とても読まれるものとは思えず、喫煙者にとってより不快なものであり、喫煙者は、たいていパケットを開けて最初にそれを捨てることとなる。
【０００８】
欧州特許第１６１４６４１号明細書は、喫煙者によってパケットが開かれるたびに喫煙者に印刷が見えるように、ヒンジ連結された蓋のパケットの蓋の内側に印刷することを提案している。この文献によれば、硬質の外側容器を製造するのに用いられるブランクの後部、すなわち、容器の外側表面を構成することとなる、ブランクの対向する面に情報が印刷される。
【０００９】
しかしながら、この方法は、ブランクの２つの対向する面における２つの別個の印刷操作を含み、２つの別個の印刷装置を備えた包装機を設ける必要が生じることにより高価となるため、不利である。
【００１０】
更に、パケットの内側表面は、喫煙者の視線にさらされないことから、ブランクの後部は、（必ず印刷される前部とは異なり）あまり塗装される（lacquered）ことがないため、喫煙者の気を引くことを想定した情報は、実際には、喫煙者を惹きつけない面に印刷されることとなる。
【００１１】
本発明の目的は、従来技術の上述したような不利な点のない、喫煙具のためのパケットとそのパケットの製造方法とを提供することにある。
【課題を解決するための手段】
【００１２】
したがって、本発明は、添付の特許請求の範囲に記載のような喫煙具のためのパケットと、パケットの製造方法とを提供する。
【００１３】
本発明は、非制限的な実施形態を示した添付の図面を参照しつつ以下で説明される。
【図面の簡単な説明】
【００１４】
【図１】本発明に係るパケットを製造するのに用いられるブランクの平面図である。
【図１Ａ】本発明によって製造されたたばこのパケットの、開放状態における前方斜視図である。
【図２】図１Ａのパケットを製造するための異なる一連の折り曲げ工程における、図１のブランクを示す概略的斜視図である。
【図３】図１Ａのパケットを製造するための異なる一連の折り曲げ工程における、図１のブランクを示す概略的斜視図である。
【図４】図１Ａのパケットを製造するための異なる一連の折り曲げ工程における、図１のブランクを示す概略的斜視図である。
【図５】図１Ａのパケットを製造するための異なる一連の折り曲げ工程における、図１のブランクを示す概略的斜視図である。
【図６】図１Ａのパケットを製造するための異なる一連の折り曲げ工程における、図１のブランクを示す概略的斜視図である。
【図７】図１Ａのパケットを製造するための異なる一連の折り曲げ工程における、図１のブランクを示す概略的斜視図である。
【発明を実施するための形態】
【００１５】
図１Ａにおいて、符号１は、その全体において、硬質のカード又は板紙（paperboard）から成る外側容器２と、容器２内に収容された内側包装３と、を具備する、硬質のヒンジ連結された蓋のたばこのパケットを示す。内側包装３は、たばこ５の束４を収容し、例えば金属化紙で製造される。示された例において、束４は、略平行六面体の形状内にある。
【００１６】
外側容器２は、開放上端部６を有し、（図１Ａに示された）開放位置と開放上端部６が閉じられる閉止位置との間で容器２に対して回転可能に、ヒンジ８に沿って容器２に連結された中空の蓋７を有する。
【００１７】
閉止位置にあるとき、蓋７は、外側容器２を、互いに平行であり且つ対向する頂壁９及び底壁１０と、互いに平行であり且つ対向する２つの大きな側壁１１及び１２と、互いに平行であり且つ対向する２つの小さな側壁１３と、によって画成される平行六面体の形状とする。より詳細には、符号１１で示された２つの大きな側壁の一方は、外側容器２の前壁を構成し、符号１２で示された他の大きな側壁は、外側容器２の後壁を形成する。
【００１８】
パケット１は、開放上端部６から部分的に突出し且つ蓋７が前述した閉止位置にあるときに対応する蓋７の内側表面に係合するように、Ｕ字形状に折り曲げられ且つ（概して接着によって）外側容器２の内側に固定された、内側フレーム１４を更に具備する。内側フレーム１４は、概して硬質なカード紙又はボード紙から成り、外側容器２の前壁１１と接触した前壁１５と、前壁１５の対向する側に配置され且つ外側容器２の側壁１３と接触した２つの側壁１６と、を具備する。パケット１が閉じられたとき、内側フレーム１４の機能は、蓋７を開けるための特定量の力の付与を必要とすべく、蓋７を閉止位置に保持する。このため、好適には、内側フレーム１４は、蓋７に対して特定の力で作用する、外方に突出した一対の突起部１７を有する。
【００１９】
特に図１に示されたように、図１Ａのパケット１は、ブランク１８であって、略四角形の細長い形状を有し、その部分が可能な限り硬質なたばこのパケット１の部分に対応する部分を意味する、参照符号と同等の主要な参照符号によって示される、平坦なブランク１８から製造される。
【００２０】
ブランク１８は、２つの長手方向の破線（lines of weakness）１９と複数の横方向の破線２０とを有し、これらは、長手方向の破線１９の対の間で、外側容器２の前壁を形成するパネル１１’と、外側容器２の底壁１０を形成するパネル１０’と、外側容器２の後壁１２を形成するパネル１２’と、外側容器２の後壁２１を形成するパネル２１’と、蓋７の後壁２１を形成するパネル２１’と（ヒンジ８は横方向の破線２０と一致する）、蓋７の頂壁９を形成するパネル９’と、蓋７の前壁２２を形成するパネル２２’と、蓋７の前壁２２の補強壁２３の一部を形成する内側パネル２３’と、横方向の破線２０に沿った並びで互いに連結され且つ頂壁９の補強壁２３、蓋７の後壁２１、及び、外側容器２の後壁１２の上部の、それぞれの別の部分を形成する別の３つの略四角形のパネル２４’、２５’及び２６’と、を形成する。より一般的に説明すると、以下の説明からより明確なように、ブランク１８は、少なくとも２つのパネル２３’、２４’、２５’、２６’を具備し、これらのパネル２３’、２４’、２５’、２６’は、破線の折曲げ線２０の対に沿って互いに対になるように連結され、蓋７の頂壁９において少なくとも蓋７の内側表面に対して当接して配置されるように破線２０周りに互いに対して曲げられ得る。
【００２１】
パネル１１’は、外側容器２の側壁１３の外部を形成し、パネル１１’の対向する側部に配置され、長手方向の破線１９によってパネル１１’自体から分離された側部フラップ１３’を支承する（bears）。
【００２２】
パネル１２’は、外側容器２の側壁１３の内部を形成し、パネル１２’の対向する側部に配置され、長手方向の破線１９によってパネル１２’自体から分離された側部フラップ１３’を支承する。それぞれのフラップ１３’’は、外側容器２の底壁１０の内側補強舌部２４に対して横方向の破線２０に沿って連結される。
【００２３】
パネル２１’は、蓋７の側壁２５の内部を形成し、パネル２１’の対向する側部に配置され、長手方向の破線１９によってパネル２１’自体から分離された側部フラップ２５’を支承する。それぞれのフラップ２５’は、蓋７の頂壁９の内側補強舌部２６に対して横方向の破線２０に沿って連結される。
【００２４】
パネル２２’は、蓋７の側壁２７の外部を形成し、パネル２２’の対向する側部に配置され、長手方向の破線１９によってパネル２２’自体から分離された側部フラップ２７’を支承する。
【００２５】
上述した内側フレーム１４は、外側容器２自体を形成する間にパネル１１’及びフラップ１３’において接着により外側容器２に連結される。
【００２６】
パケット１を製造する工程は図２から図７に経時的な順序で示されており、まず、図２に示されるブランク１８は、パケット１の外側表面を形成する表面を上方に向けて水平平面に（例示による）広げられている。
【００２７】
図３から図７に示されるように、最初にブランク１８のパネル２３’は、パネル２４’、２５’及び２６’と共にブランク１８の本体に対して、パネル２３’をパネル２２’から分離する横方向の破線２０周りに図３の下方への回転によって９０°に曲げられる。次いでパネル２３’、２４’、２５’及び２６’を含む組は、ブランク１８の表面に当接するまで、ブランク１８の本体に対してその組をパネル２２’から分離する横方向の破線２０周りに更に９０°（合計１８０°）曲げられ、すなわち図４において下側となる。次いで図示しない適した接着装置は、パネル２３’、２４’、２５’及び２６’に接着剤を塗布することなく、ヒンジ連結された蓋のたばこのパケットの従来のパターンによって接着スポットを塗布する。
【００２８】
次いでたばこ５の束４を包む内側包装３は、その大きな後部表面をパケット１の内側となる、パネル１２’及び２１’の表面と接触させ、ブランク１８の両側のフラップ１３’’及び２５’’は、隣接する長手方向線１９周りに（例示による図５において下方に）９０°折り曲げられて同一の包装３のそれぞれの小さな表面に接着される。フラップ１３’’及び２５’’の折り曲げは、概して内側包装３及びブランク１８の部分が図示されない包装ホイールのハウジングに入っている間に実行される。
【００２９】
図５に示されるように、同時に、パネル２２’は、連結されたフラップ２７’と共に、パネル９’とパネル２２’とを接続する横方向の線２０周りに９０°下方に折り曲げられ、これによって、パネル９’、２２’、２３’及び２４’を含む組は、概して対向するフランクを開放した平行六面体を有し、内部に室２８を画成し、且つ、パネル９’、２２’及び２３’と内側包装３の上端表面２９と接触するパネル２４’とによって区切られた箱形状となる。次いで舌部２６は、舌部２６が室２８内に挟み込まれ（tucked）且つ内側包装３の上端表面２９に隣接するパネル２４’に対して接着されるように、舌部２６をフラップ２５’’から分離する横方向の線２０周りに９０°折り曲げられる。舌部２６を室２８内へと、しわなく（without crumpling）挟み込むのを容易にするため、舌部２６は、隣接したフラップ２５’’と２７’との間の自由表面よりかなり小さい。
【００３０】
舌部２４も、舌部２４を隣接するフラップ１３’’から分離する横方向の線２０周りに９０°折り曲げられ、内側包装３の底端表面２９と接触するように移動させられる。
【００３１】
次いでパネル９’、２２’及び２３’を含む組は、パネル９’及び２４’とパネル２２’及び２３’とを室２８の内側の空間を排しながら互いに当接させるべく移動させるように、パネル９’をパネル２１’から分離する横方向の線２０周りにパネル９’を（図６の下方に）９０°回転させることによって、内側包装３の上端表面２９へと押される。こうしてフラップ２６は、それらを所定の場所に保持するためにパネル９’、２４’の一方に対して接着させることなく、パネル９’と２４’との間で閉じ込められたままとなる（remain trapped）。しかしながら、必要に応じて、接着も可能であり、この場合、フラップ２６に接着剤を塗布するのがパネル９’、２４の一方（又は両方）に塗布するよりも好適である。パネル１１’及び１３’は、徐々に動かされ、内側包装３の前壁３０の下部及び内側フレーム１４の前壁１５に対して、且つ、内側包装３の側壁３１及び内側フレーム１４の側壁１６の下部に対して、それぞれ接触するように、パネル１１’をパネル１０’から分離する横方向の線２０周りに折り曲げられる。
【００３２】
その間、交互に隣接するパネル２２’及び２３’は、パネル２３’を移動させて内側包装３の前壁３０の上部及び内側フレーム１４の前壁１５の上部と接触させるため、それらをパネル９’及び２４’に対してそれぞれ接続する横方向の線２０周りに９０°折り曲げられる（図７）。
【００３３】
パケット１を完成させるため、次いで舌部２７’は、舌部２７’を部分的に区切る長手方向の線１９周りに９０°折り曲げられ（図１Ａに示されたパケット１から容易に把握されるため、この工程は、図示されない）、隣接したフラップ２５’’上に配置され、且つ、パネル１３’は、長手方向の線１９周りに９０°折り曲げられ、フラップ１３’’上に配置される。
【００３４】
本発明の目的によれば、上述した方法で製造されたパケット１は、パケット１の外側表面の印刷３３に加えて、蓋７の内側に更なる印刷３２を有してもよく、この印刷３２は、パケット１の外側表面を形成するブランク１８の塗装表面上である。
【００３５】
仕上がったパケット１において、パネル２５’及び２６’は、内側包装３と、それらが隣接するパネル２１’及び１２’に対して好適には接着されずに一部を形成する外側容器２の内側表面と、の間に配置され、これによって、蓋７が開かれるたびに小さな移動を可能とし、こうして外側容器２が形状を崩す（going out of shape）のを防ぐことに留意されたい。
【００３６】
当然のことながら、図示されないパケット１の別の実施形態において、少なくともいくつかのパケット１の長手方向及び／又は横方向のエッジは、シャープなエッジの代わりに丸みを帯び又は面取りされてもよい。
【００３７】
最後に、上述した喫煙具のパケット１は、たばこ５のような細長い喫煙具の代わりにたばこのパケットを含むべく、本発明の目的を構成する解決法を用いて製造されてもよいことに留意されたい。
【図１】
0006329174.tif 000002
【図１Ａ】
0006329174.tif 000003
【図２】
0006329174.tif 000004
【図３】
0006329174.tif 000005
【図４】
0006329174.tif 000006
【図５】
0006329174.tif 000007
【図６】
0006329174.tif 000008
【図７】
0006329174.tif 000009